(57)【要約】【課題】表示用発光ダイオードを誤点灯させる電流が表示付スイッチ用点灯回路に流れた場合にも、表示用発光ダイオードが誤点灯しないようにする。【解決手段】表示付スイッチ用点灯回路１のＬＥＤ４５（表示用発光ダイオード）は、交流電源ＡＣと負荷Ｌとの間に挿入されたスイッチ２の操作により交流電源ＡＣからの電力供給が入切される。ＬＥＤ４５には、ＬＥＤ４５を誤点灯させる電流を流す経路をＬＥＤ４５とは別経路で形成するバイパス素子としてのコンデンサＣ１が並列に接続されている。ＬＥＤ４５を誤点灯させる電流はコンデンサＣ１を通ることによりＬＥＤ４５とは別経路で流れることになるので、ＬＥＤ４５の誤点灯が防止される。【選択図】図１
2006012632.tif 000002
【特許請求の範囲】
【請求項１】
交流電源と負荷との間に挿入されたスイッチの操作により当該交流電源からの電力供給が入切される表示用発光ダイオードと、表示用発光ダイオードを誤点灯させる電流が表示用発光ダイオードに流れないように当該電流を流す経路を表示用発光ダイオードに点灯用の電流を流す経路とは別経路で形成するバイパス素子とを備えることを特徴とする表示付スイッチ用点灯回路。
【請求項２】
前記バイパス素子は、ノイズと突入電流とサージ電流との少なくとも１つに対するインピーダンスが前記表示用発光ダイオードより低いことを特徴とする請求項１記載の表示付スイッチ用点灯回路。
【請求項３】
前記表示用発光ダイオードとの直列回路が前記バイパス素子と並列になるように接続され、ノイズと突入電流とサージ電流との少なくとも１つに対するインピーダンスがバイパス素子より高い保護用抵抗が付加されていることを特徴とする請求項２記載の表示付スイッチ用点灯回路。
【請求項４】
前記バイパス素子は、近接する導体との間に生じた浮遊容量を通して流れる微小電流を流す経路を前記表示用発光ダイオードへの電力供給を前記スイッチが遮断しているときに形成していることを特徴とする請求項１ないし請求項３のいずれか１項に記載の表示付スイッチ用点灯回路。
【請求項５】
前記表示用発光ダイオードに逆並列に接続され順方向降下電圧が表示用発光ダイオードの逆方向耐圧より小さいダイオードを備えることを特徴とする請求項１ないし請求項４のいずれか１項に記載の表示付スイッチ用点灯回路。
【請求項６】
前記表示用発光ダイオードに直列に接続される減流用抵抗と、表示用発光ダイオードおよび減流用抵抗の直列回路に並列に接続され順方向降下電圧が表示用発光ダイオードの点灯電圧以上である少なくとも１個以上の電源用ダイオードとを備えることを特徴とする請求項５記載の表示付スイッチ用点灯回路。
【請求項７】
前記表示用発光ダイオードに近接して配置され表示用発光ダイオードに逆並列に接続される発光ダイオードが付加されていることを特徴とする請求項１ないし請求項４のいずれか１項に記載の表示付スイッチ用点灯回路。
【請求項８】
前記表示用発光ダイオードおよび前記発光ダイオードの並列回路に直列に接続される減流用抵抗と、表示用発光ダイオードおよび減流用抵抗の直列回路の両端間に交流入力端子が接続されたダイオードブリッジと、ダイオードブリッジの直流出力端子間にアノードを正極側にして接続されたダイオードとを備えることを特徴とする請求項７記載の表示付スイッチ用点灯回路。
【発明の詳細な説明】
【技術分野】
【０００１】
本発明は、交流電源と負荷との間に挿入されたスイッチの操作により電力供給が入切される発光ダイオードを備え、負荷への通電状態を表示する表示付スイッチ用点灯回路に関するものである。
【背景技術】
【０００２】
従来から、この種の表示付スイッチ用点灯回路１（以下「点灯回路」と呼ぶ）として、図１３に示すように、１次巻線ｎ１が接点ＳＷに直列に接続された電流トランス５１の２次巻線ｎ２に生じる電流によって発光ダイオード４５，４６（以下「ＬＥＤ」と呼ぶ）を点灯するものが提供されている。図示例では、互いに逆並列に接続された２個のＬＥＤ４５，４６と抵抗Ｒ１との直列回路が電流トランス５１の２次巻線ｎ２の両端間に接続されて点灯回路１を構成している（たとえば特許文献１参照）。
【０００３】
一方、低圧屋内配線で交流電源ＡＣから直接電力供給されてＬＥＤ４５を点灯する点灯回路１も知られている。ここで示す点灯回路１は、上述した点灯回路１において、一方のＬＥＤ４６に代えてダイオードＤ１を設けたものである。この点灯回路１は、たとえば図１４に示すように、接点ＳＷに並列に接続されることにより、接点ＳＷの開放時に電力供給されてＬＥＤ４５を点灯する。また、２線式・３路配線対応形のスイッチ２においては、図１５に示すように、点灯回路１は共通端子を除く２個の接続端子間に接続され、負荷Ｌへの電力供給遮断時にＬＥＤ４５を点灯する。交流電源ＡＣと負荷Ｌとの間に接点ＳＷが介在する３線式のスイッチ２においては、図１６に示すように、点灯回路１は交流電源ＡＣに対して接点ＳＷと直列に接続され、接点ＳＷの閉成時にＬＥＤ４５を点灯する。
【特許文献１】特開平８−１８０７６８号公報（第４頁、図９）
【発明の開示】
【発明が解決しようとする課題】
【０００４】
しかし、交流電源ＡＣから直接電力供給される点灯回路１では、低圧屋内配線中に生じる電流変化の影響を受け易く、点灯回路１に電力供給されていない期間であっても、たとえばノイズや負荷始動時の突入電流、あるいはサージ電流などが点灯回路１に流れることがあり、これらの電流によりＬＥＤ４５が誤点灯する可能性がある。また、点灯回路１に近接して配置された導体との間に生じた浮遊容量を通して流れる微小電流によってＬＥＤ４５が誤点灯する可能性もある。
【０００５】
本発明は上記事由に鑑みて為されたものであって、表示用発光ダイオードを誤点灯させる種々の電流が流れた場合にも、表示用発光ダイオードが誤点灯することのない表示付スイッチ用点灯回路を提供することを目的とする。
【課題を解決するための手段】
【０００６】
請求項１の発明は、交流電源と負荷との間に挿入されたスイッチの操作により当該交流電源からの電力供給が入切される表示用発光ダイオードと、表示用発光ダイオードを誤点灯させる電流が表示用発光ダイオードに流れないように当該電流を流す経路を表示用発光ダイオードに点灯用の電流を流す経路とは別経路で形成するバイパス素子とを備えることを特徴とする。
【０００７】
この構成によれば、表示用発光ダイオードを誤点灯させる電流がバイパス素子を通してバイパスされるので、当該電流によって表示用発光ダイオードが誤点灯することがないという効果がある。
【０００８】
請求項２の発明は、請求項１の発明において、前記バイパス素子が、ノイズと突入電流とサージ電流との少なくとも１つに対するインピーダンスが前記表示用発光ダイオードより低いことを特徴とする。
【０００９】
表示用発光ダイオードはノイズや突入電流やサージ電流により誤点灯することがあり、これらの電流の周波数成分は一般に交流電源より高周波数である。したがって、請求項２の構成では、これらの電流に対して低インピーダンスとなるバイパス素子として容量性の素子を用いることができる。すなわち、バイパス素子にコンデンサなどを用いて表示用発光ダイオードの誤点灯を防止することができる。
【００１０】
請求項３の発明は、請求項２の発明において、前記表示用発光ダイオードとの直列回路が前記バイパス素子と並列になるように接続され、ノイズと突入電流とサージ電流との少なくとも１つに対するインピーダンスがバイパス素子より高い保護用抵抗が付加されていることを特徴とする。
【００１１】
この構成によれば、保護用抵抗を付加するだけの簡単な構成により、ノイズや突入電流やサージ電流が表示用発光ダイオードに流れ難くなる。その結果、ノイズや突入電流やサージ電流により表示用発光ダイオードが誤点灯することを防止できる。
【００１２】
請求項４の発明は、請求項１ないし請求項３のいずれかの発明において、前記バイパス素子が、近接する導体との間に生じた浮遊容量を通して流れる微小電流を流す経路を前記表示用発光ダイオードへの電力供給を前記スイッチが遮断しているときに形成していることを特徴とする。
【００１３】
表示用発光ダイオードは、電力供給がスイッチにより遮断されているときであっても、浮遊容量を通して流れる微小電流によって誤点灯することがある。そこで、請求項４の構成においては、微小電流を流す抵抗などをバイパス素子に用いて表示用発光ダイオードの誤点灯を防止することができる。
【００１４】
請求項５の発明は、請求項１ないし請求項４のいずれかの発明において、前記表示用発光ダイオードに逆並列に接続され順方向降下電圧が表示用発光ダイオードの逆方向耐圧より小さいダイオードを備えることを特徴とする。
【００１５】
この構成によれば、表示用発光ダイオードに逆方向に印加される電流を逆方向耐圧より小さくすることができ、結果的に表示用発光ダイオードに掛かるストレスを低減することができる。
【００１６】
請求項６の発明は、請求項５の発明において、前記表示用発光ダイオードに直列に接続される減流用抵抗と、表示用発光ダイオードおよび減流用抵抗の直列回路に並列に接続され順方向降下電圧が表示用発光ダイオードの点灯電圧以上である少なくとも１個以上の電源用ダイオードとを備えることを特徴とする。
【００１７】
この構成では、表示用発光ダイオードに印加される電圧を電源用ダイオードの順方向降下電圧によって決定しており、異なる電源電圧に対しても略同じ明るさで表示用発光ダイオードを点灯することができる。
【００１８】
請求項７の発明は、請求項１ないし請求項４のいずれかの発明において、前記表示用発光ダイオードに近接して配置され表示用発光ダイオードに逆並列に接続される発光ダイオードが付加されていることを特徴とする。
【００１９】
この構成によれば、表示用発光ダイオードと発光ダイオードとの両方を点灯させることにより、表示用発光ダイオードのみの場合に比べて比較的明るく表示することができ、しかも、表示を視認可能な範囲の拡大が期待できる。また、発光ダイオードを表示用発光ダイオードと同仕様のものとすれば、交流電源の両極性に対する消費電力を同等にして交流電源の出力波形の対称性を維持することができる。
【００２０】
請求項８の発明は、請求項７の発明において、前記表示用発光ダイオードおよび前記発光ダイオードの並列回路に直列に接続される減流用抵抗と、表示用発光ダイオードおよび減流用抵抗の直列回路の両端間に交流入力端子が接続されたダイオードブリッジと、ダイオードブリッジの直流出力端子間にアノードを正極側にして接続されたダイオードとを備えることを特徴とする。
【００２１】
この構成によれば、表示用発光ダイオードおよび発光ダイオードに印加される電圧をダイオードブリッジおよびダイオードの順方向降下電圧によって決定しており、異なる電源電圧に対しても略同じ明るさで表示用発光ダイオードを点灯することができる。しかも、ダイオードの順方向電圧降下を表示用発光ダイオードおよび発光ダイオードで共用しているので、各３個ずつで合計６個のダイオードと同じ機能を合計５個のダイオードで実現できる。
【発明の効果】
【００２２】
本発明は、バイパス素子を備えることにより、表示用発光ダイオードを誤点灯させる電流をバイパスするので、当該電流によって表示用発光ダイオードが誤点灯することがないという利点がある。
【発明を実施するための最良の形態】
【００２３】
（実施形態１）
本実施形態の表示付スイッチ用点灯回路１（以下「点灯回路」と呼ぶ）を組み込んだスイッチ２は、図２に示すように直方体状の器体３を備えている。このスイッチ２は、器体３の前面（図の上方を前方とする）に設けたハンドル４が、図示しないピアノハンドルの操作によって後方に押し込まれることにより、器体３内に収納された接点ＳＷ（図１参照）の接続状態の切り換えが行われる２線式・３路配線対応形のものである。以下に、このスイッチ２の構成を、スイッチ２の分解斜視図である図３を参照して説明する。
【００２４】
器体３は、前面開口したボディ５とボディ５の前面側に結合される後面開口したカバー６とにより形成される。カバー６の左右方向（図の左下方を左方とする）の各側面には、埋込形の配線器具を壁面のような施工面に取り付ける際に用いる取付枠（図示せず）に設けた器具取付孔（図示せず）に係合可能な取付爪１１が一対ずつ突設してあり、取付枠に器体３を取り付けられるようにしてある。
【００２５】
ボディ５の内部空間はボディ５内に収納される内ボディ１２によって左右方向に３室に区画され、両側の区画は速結端子がそれぞれ収納される端子収納室となり、中央部は接点ＳＷが収納される接点収納室を形成している。右側（図の右上）の端子収納室には共通端子を構成する共通端子板１３と２個の鎖錠ばね１４と解除釦１５とが収納され、左側（図の左下）の端子収納室には接続端子板１６および鎖錠ばね１７からなる第１の接続端子と、接続端子板１８および鎖錠ばね１９からなる第２の接続端子と、解除釦２０とが収納される。
【００２６】
各接続端子板１６，１８には接点収納室内に配置される接点保持片２２がそれぞれ一体に形成してあり（接点端子板１６に一体の接点保持片は図示せず）、各接点保持片２２の先端部にはそれぞれ固定接点２３が設けられる。両接点保持片２２は、左右方向において固定接点２３同士を互いに対向させる形に形成されている。両固定接点２３の間には、各固定接点２３に対向する部位に固定接点２３とともに接点ＳＷを構成する可動接点２７がそれぞれ設けられた開閉子２４が配置される。可動接点２７は、開閉子２４の表面側と裏面側とで一体に形成されている。開閉子２４は、一方の固定接点２３および可動接点２７を接触させる位置と、他方の固定接点２３および可動接点２７を接触させる位置との間で移動可能に、後端縁を内ボディ１２に当接させた状態で収納される。この状態で開閉子２４は共通端子板１３に導通する。
【００２７】
一方、ハンドル４が後方に押し込まれる毎に開閉子２４を交互に反対向きに移動させる反転機構があって、反転機構は、カバー６の貫通孔３３を通して前端部がカバー６の前面側に露出する状態でカバー６に対して揺動自在に取り付けられる揺動子３１を備える。揺動子３１は圧縮コイルばねからなる反転ばね２９を介して開閉子２４に連結されるものであって、揺動子３１が揺動すると揺動範囲の中間で反転ばね２９がもっとも圧縮される位置を通過する。この位置の前後において反転ばね２９から開閉子２４に作用するばね力の向きが反転し、反転ばね２９のばね力により開閉子２４を急速に移動させて接点ＳＷを切り換える。ここで、揺動子３１は、左右方向のいずれか一端部を前方寄りにして左右いずれかに傾いた状態で安定する。
【００２８】
ハンドル４はカバー６との間に設けられた復帰ばね４０によって前方にばね付勢され、ハンドル４の後面側には、反転機構を構成するスライドカム３８がハンドル４の後面に沿って摺動自在に配設される。スライドカム３８は、ハンドル４が復帰ばね４０に抗して後方に押し込まれたときに、揺動子３１の前方寄りの一端部を後方に押し込むことにより揺動子３１を揺動させて反対向きに傾けるものである。その結果、開閉子２４が移動し接点ＳＷが切り換わる。
【００２９】
要するに、本実施形態のスイッチ２は、上述した構成によりハンドル４が後方に押し込まれる毎に、共通端子板１３および接続端子板１６が導通する状態（すなわち共通端子と第１の接続端子とが導通する状態）と、共通端子板１３および接続端子板１８が導通する状態（すなわち共通端子と第２の接続端子とが導通する状態）とが切り換わるものである。
【００３０】
本実施形態では、この３路配線対応形のスイッチ２を２個用いて、図１に示すように、両スイッチ２の接続端子板１６（第１の接続端子）同士を接続するとともに両スイッチ２の接続端子板１８（第２の接続端子）同士を接続し、両スイッチ２の共通端子板１３（共通端子）間に交流電源ＡＣと負荷Ｌとの直列回路を接続することにより、交流電源ＡＣから負荷Ｌへの電力供給を２個のスイッチ２のいずれでも入切できるようにしている。ただし、ここではスイッチ２を低圧屋内配線（日本では通常１００Ｖ、２００Ｖ）で使用することを想定している。
【００３１】
ところで、図３に示すように、器体３内には発光ダイオード（以下「ＬＥＤ」と呼ぶ）の点滅により負荷Ｌへの電力供給の状態を表示する点灯回路１が形成された表示基板４２が収納されている。表示基板４２は、内ボディ１２の前面側に搭載され、入力端子４３，４４が両接続端子板１６，１８に電気的に接続される。この点灯回路１は後述する回路構成によって接点ＳＷの接続状態に応じてＬＥＤが点滅するものであって、２個のＬＥＤ４５，４６が発光面を前方に向けて配置されている。カバー６の前面における凹部３２の側方には、両ＬＥＤ４５，４６の前方に相当する部位に表示窓４７が貫設されている。表示窓４７には透光性を有するＬＥＤカバー４８が嵌め込まれ、両ＬＥＤ４５，４６の光はＬＥＤカバー４８を通して前方に出射される。
【００３２】
点灯回路１は、入力端子４３，４４に通電することにより両ＬＥＤ４５，４６が点灯するものであって、図１に示すように両接続端子板１６，１８（第１および第２の接続端子）間に接続されることにより、負荷Ｌに対して電力供給を行う状態で両ＬＥＤ４５，４６が消灯し、負荷Ｌに対して電力供給を行わない状態で両ＬＥＤ４５，４６が点灯する。すなわち、表示窓４７から視認される両ＬＥＤ４５，４６の点滅により、交流電源ＡＣから負荷Ｌへの電力供給の入切を表示しているのである。
【００３３】
点灯回路１は、図４に示すように、入力端子４３，４４間において互いに逆並列に接続された２個のＬＥＤ４５，４６を備えている。入力端子４３，４４間にはＬＥＤ４５，４６の並列回路に対して直列に抵抗Ｒ１が挿入され、ＬＥＤ４５，４６に大電流が流れてＬＥＤ４５，４６が破損することを防止している。本実施形態では、抵抗Ｒ１に抵抗値が５００ｋΩのものを用いている。ここで、一方のＬＥＤ４５が表示用発光ダイオードとして設けられたＬＥＤ４５であって、他方のＬＥＤ４６はＬＥＤ４５と他仕様のものであってもよいが、本実施形態では両ＬＥＤ４５，４６を同仕様にすることにより、交流電源ＡＣの両極性に対して点灯回路１での消費電力を同等にして交流電源ＡＣの出力波形の対称性を維持している。また、従来構成のように一方のＬＥＤ４６に代えてダイオードを接続することもできるが、本実施形態のようにＬＥＤ４５，４６を２個とすることにより、比較的明るく表示することができる。しかも、上述したように２個のＬＥＤ４５，４６が互いに近接して配置されることにより、ＬＥＤ４５，４６が１個の場合に比べてＬＥＤ４５，４６の視野角が広くなるので、この点灯回路１を備えたスイッチ２を壁面などに取り付けた状態で、ＬＥＤ４５，４６の点滅を視認可能な範囲の拡大が期待できる。
【００３４】
ところで、本実施形態では、点灯回路１は図４に示すようにＬＥＤ４５，４６に並列に接続されたバイパス素子を備えている。バイパス素子は本実施形態では、周波数成分が交流電源ＡＣより高周波であるノイズに対するインピーダンスが低くなるコンデンサＣ１である。したがって、点灯回路１の入力端子４３，４４間において、ノイズはノイズに対するインピーダンスが低いコンデンサＣ１を流れることになる。要するに、本実施形態では、ＬＥＤ４５，４６と別経路でノイズを通すコンデンサＣ１を設けることにより、ノイズがＬＥＤ４５，４６を通らずにバイパスされるようにしている。
【００３５】
さらに、バイパス素子としてのコンデンサＣ１を設けることにより、ノイズだけでなく、周波数成分が交流電源ＡＣより高周波である突入電流やサージ電流においても、ＬＥＤ４５，４６を通さずにバイパスさせることができる。ただし、バイパス素子は、バイパスさせる電流に応じて選択されるものであって、上述したようなコンデンサＣ１に限らず、たとえば、サージアブソーバのように両端電圧に応じてインピーダンスが変化する素子などでもよい。
【００３６】
上述したように、ノイズや突入電流やサージ電流などのＬＥＤ４５，４６を誤点灯させる電流をＬＥＤ４５，４６とは別経路で流すことにより、ＬＥＤ４５，４６の誤点灯を防止することができるのである。しかも、点灯回路１が交流電源ＡＣから電力供給を受けてＬＥＤ４５，４６を点灯する期間においても、ノイズや突入電流やサージ電流はＬＥＤ４５，４６を通らずにバイパスされるので、ＬＥＤ４５，４６の点灯中にＬＥＤ４５，４６の明るさが変化してＬＥＤ４５，４６の点灯が不安定になったり、ＬＥＤ４５，４６に過電流が流れてＬＥＤ４５，４６が故障したりすることも防止できる。
【００３７】
また、図５に示すように、表示用発光ダイオードとしてのＬＥＤ４５に逆並列に接続されたＬＥＤ４６に代えてダイオードＤ１を接続した場合にも、上述した場合と同様にＬＥＤ４５の誤点灯をコンデンサＣ１によって防止することができる。図５の構成で入力端子４３，４４に交流電圧が印加された場合において、コンデンサＣ１の有無によるＬＥＤ４５の両端電圧の違いを図６に示す。このように、ＬＥＤ４５の点灯時であっても、図６（ｂ）のコンデンサＣ１を設ける場合には図６（ａ）のコンデンサＣ１を設けない場合に比べてＬＥＤ４５に流れるノイズが低減するのである。
【００３８】
なお、上述した点灯回路１は、２線式・３路配線対応形のスイッチ２に限らず、たとえば、２線式の片切スイッチにおいて接点ＳＷに並列に接続されることにより、接点ＳＷの開放時にＬＥＤ４５，４６を点灯したり、交流電源ＡＣと負荷Ｌとの間に接点ＳＷが介在する３線式のスイッチにおいて交流電源ＡＣに対して接点ＳＷと直列に接続されることにより、接点ＳＷの閉成時にＬＥＤ４５，４６を点灯するものであってもよい（図１４および図１６参照）。
【００３９】
（実施形態２）
本実施形態の点灯回路１は、図７に示すように、ＬＥＤ４５と抵抗Ｒ１との直列回路に直列に接続される保護用抵抗Ｒ２を備える点が実施形態１の点灯回路１と相違する。ここで、ＬＥＤ４５と保護用抵抗Ｒ２との直列回路がバイパス素子としてのコンデンサＣ１に対して並列に接続されるように、保護用抵抗Ｒ２はコンデンサＣ１の両端間においてＬＥＤ４５に直列に挿入されている。また、本実施形態では、実施形態１において表示用発光ダイオードとしてのＬＥＤ４５に逆並列に接続されていたＬＥＤ４６に代えて、ダイオードＤ１を設けてある。
【００４０】
保護用抵抗Ｒ２は、ノイズに対するインピーダンスがコンデンサＣ１より高いものが選択されている。ただし、保護用抵抗Ｒ２を設けることによりＬＥＤ４５が暗くなることがないように、ここでは抵抗値が１０Ωのものを用いている。これにより、点灯回路１の入力端子４３，４４間にノイズが発生した場合に、ノイズが保護用抵抗Ｒ２およびＬＥＤ４５の直列回路に流れることを防止している。バイパス素子がノイズではなく突入電流やサージ電流を対象にしている場合でも、保護用抵抗Ｒ２を設けることにより突入電流やサージ電流がＬＥＤ４５に流れることを防止することができる。
【００４１】
ＬＥＤ４５およびコンデンサＣ１に対して直列に接続された抵抗Ｒ１に関しては、抵抗値が５００ｋΩのものに代えて、たとえば１ＭΩの高インピーダンスのものを用いてもよい。これにより、インバータ照明器具やセンサ機能付照明器具などの起動開始電圧が比較的低い器具を負荷Ｌとして用いている場合には、点灯回路１を通して負荷Ｌに流れる漏れ電流によって負荷Ｌが誤作動してしまうことを防止することができるのである。ただし、抵抗Ｒ１の抵抗値を５００ｋΩから１ＭΩに変更するのであれば、ＬＥＤ４５は輝度が２倍の高輝度形のものに変更することが望ましい。すなわち、点灯回路１に流れる漏れ電流の大きさに反比例してＬＥＤ４５の輝度を変更する。その結果、点灯回路１を通して負荷Ｌに流れる漏れ電流を低減させながらも、ＬＥＤ４５が暗くなることを防止できる。
【００４２】
また、ＬＥＤ４５に逆並列に接続されたダイオードＤ１には、たとえばショットキーダイオードなどの順方向降下電圧が比較的小さい（０．２Ｖ程度）ものを用いる。ダイオードＤ１の順方向降下電圧は、ＬＥＤ４５に対して逆方向に印加されることになるので、このように順方向降下電圧が比較的小さいダイオードＤ１を用いることにより、ダイオードＤ１の順方向に突入電流やサージ電流などの大電流が流れても、ＬＥＤ４５に逆方向に大きな電圧が印加されることを防止できる。さらに、点灯回路１に交流電源ＡＣから電力供給されてＬＥＤ４５が点灯しているときにも、ダイオードＤ１の順方向降下電圧をＬＥＤ４５の逆方向耐圧より小さく設定しておけば、ＬＥＤ４５に掛かるストレスを低減することができ、ＬＥＤ４５の寿命を延ばす効果が期待できる。その他の構成および機能は実施形態１と同様である。
【００４３】
（実施形態３）
点灯回路１には、点灯回路１に近接する導体との間に生じた浮遊容量を通して微小電流が流れることがある。ここでいう点灯回路１に近接する導体とはたとえば交流電源ＡＣの一端とともに接地された電線などであって、点灯回路１との間に浮遊容量が生じることにより点灯回路１とともに閉回路を形成するものである。図１５および図１６に破線で示すように、このような電線４９が、たとえば点灯回路１に接続された電線５０に対して電線間内で近接している場合に、両電線４９，５０間に浮遊容量Ｃ２が生じることがある。ＬＥＤ４５，４６は、ノイズやサージ電流や突入電流だけでなく、この浮遊容量Ｃ２を通して流れる微小電流によって誤点灯することもある。
【００４４】
本実施形態の点灯回路１は、この浮遊容量Ｃ２を通して流れる微小電流をバイパス素子によってバイパスするものであって、図８に示すように、実施形態２の点灯回路１において、ＬＥＤ４５に並列に接続されるバイパス素子としての抵抗Ｒ３が付加されている。
【００４５】
この抵抗Ｒ３にはＬＥＤ４５の順方向降下電圧が印加されることになるので、ＬＥＤ４５の順方向降下電圧を１．７Ｖとした場合に０．５ｍＡまでの微小電流が抵抗に流れるように、抵抗値が３．４ｋΩのものを採用している。この構成によれば、点灯回路１に近接する導体との間に生じた浮遊容量を通して微小電流が点灯回路１に流れたとしても、この微小電流は抵抗Ｒ３を通るので、微小電流によりＬＥＤ４５が誤点灯することを防止できる。その他の構成および機能は実施形態２と同様である。
【００４６】
（実施形態４）
本実施形態の点灯回路１は、図９に示すように、実施形態３の点灯回路１において、抵抗Ｒ３に代えてバイパス素子としてのコンデンサＣ３を設けたものである。
【００４７】
コンデンサＣ３にはＬＥＤ４５の順方向降下電圧が印加されることになるので、ＬＥＤ４５の順方向降下電圧を１．７Ｖとした場合に０．５ｍＡまでの微小電流がコンデンサＣ３に流れるように、容量がたとえば５μＦのものを採用している。この構成によれば、点灯回路１に近接する導体との間に生じた浮遊容量を通して微小電流が点灯回路１に流れたとしても、この微小電流はコンデンサＣ３を通るので、徴小電流によりＬＥＤ４５が誤点灯することを防止できる。しかも、バイパス素子にコンデンサＣ３を採用しているので、バイパス素子は高周波の突入電流やサージ電流に対してインピーダンスが低く、高周波の突入電流やサージ電流がＬＥＤ４５に流れることを防止でき、ＬＥＤ４５を突入電流やサージ電流から保護することができる。その他の構成および機能は実施形態３と同様である。
【００４８】
（実施形態５）
本実施形態の点灯回路１は、図１０に示すように、実施形態２の点灯回路１に対して、ＬＥＤ４５と保護用抵抗Ｒ２との直列回路に対して並列に接続された３個の電源用ダイオードとしてのダイオードＤ２〜Ｄ４が付加されている。さらに、ＬＥＤ４５に逆並列に接続されていたダイオードＤ１が省略され、ダイオードＤ２〜Ｄ４の直列回路に対して逆並列に接続されたダイオードＤ５が付加されている。この構成では、保護用抵抗Ｒ２は減流用抵抗として機能する。３個のダイオードＤ２〜Ｄ４は、入力端子４３，４４間においてＬＥＤ４５と同じ向きに直列に接続されている。ただし、バイパス素子としてのコンデンサＣ１は図１０では省略している。
【００４９】
本実施形態では、ダイオードＤ２〜Ｄ４の順方向降下電圧の和（以下では「和電圧」と呼ぶ）がＬＥＤ４５および保護用抵抗Ｒ２の直列回路に印加されることになる。ダイオードＤ２〜Ｄ４をすべて順方向降下電圧が０．７Ｖのものとした場合には、和電圧は２．１Ｖであって、この和電圧がＬＥＤ４５および保護用抵抗Ｒ２の直列回路に印加されることになる。入力端子４３，４４間に異なる電圧が印加されても和電圧の変化は少ないので、ＬＥＤ４５は入力端子間４３，４４に異なる電圧が印加されても略同じ明るさで点灯することができる。したがって、この点灯回路１は、たとえば１００Ｖと２００Ｖとの両方の交流電源ＡＣに兼用することができる。その他の構成および機能は実施形態２と同様である。
【００５０】
（実施形態６）
本実施形態の点灯回路１は、図１１に示すように、実施形態５の点灯回路１に対して、ＬＥＤ４５に逆並列にＬＥＤ４６が付加され、ダイオードＤ５が２個のダイオードＤ６，Ｄ７とともに電源用ダイオードとして直列回路を構成している。すなわち、入力端子４３，４４間において一方のＬＤＥ４５と同じ向きに接続されることによりＬＥＤ４５に対応する電源用ダイオードとしてのダイオードＤ２〜Ｄ４と、他方のＬＥＤ４６と同じ向きに接続されることによりＬＥＤ４６に対応する電源用ダイオードとしてのダイオードＤ５〜Ｄ７とを備えている。
【００５１】
したがって、本実施形態では、入力端子４３，４４間の双方向において、各ＬＥＤ４５，４６にそれぞれ対応するダイオードＤ２〜Ｄ４，Ｄ５〜Ｄ７の両端間に発生する和電圧がＬＥＤ４５，４６および保護用抵抗Ｒ２の直列回路に印加されるのである。
【００５２】
また、本実施形態と同様の動作をする回路は、図１２に示すように、６個のダイオードＤ２〜Ｄ７に代えて４個のダイオードからなるダイオードブリッジＤＢと１個のダイオードＤ８とを用いて構成することができる。ここで、ダイオードブリッジＤＢの交流入力端子がＬＥＤ４５，４６および保護用抵抗Ｒ２の直列回路の両端間に接続され、ダイオードブリッジＤＢの直流出力端子間にダイオードＤ８が接続される。ダイオードＤ８は直流出力端子の正極側にアノードが接続される。その他の構成および機能は実施形態５と同様である。
【図面の簡単な説明】
【００５３】
【図１】本発明の実施形態１のスイッチを用いた構成を示す配線図である。
【図２】同上のスイッチを示す斜視図である。
【図３】同上のスイッチの構成を示す分解斜視図である。
【図４】同上の点灯回路を示す回路図である。
【図５】同上の点灯回路の他の構成を示す回路図である。
【図６】（ａ）はコンデンサを設けない場合のＬＥＤの両端電圧を示す説明図、（ｂ）はコンデンサを設ける場合のＬＥＤの両端電圧を示す説明図である。
【図７】本発明の実施形態２の点灯回路を示す回路図である。
【図８】本発明の実施形態３の点灯回路を示す回路図である。
【図９】本発明の実施形態４の点灯回路を示す回路図である。
【図１０】本発明の実施形態５の点灯回路を示す回路図である。
【図１１】本発明の実施形態６の点灯回路を示す回路図である。
【図１２】同上の他の回路構成を示す回路図である。
【図１３】従来例を示す回路図である。
【図１４】従来例を用いた構成を示す配線図である。
【図１５】従来例を用いた他の構成を示す配線図である。
【図１６】従来例を用いたさらに他の構成を示す配線図である。
【符号の説明】
【００５４】
１  （表示付スイッチ用）点灯回路
２  スイッチ
４５  （表示用）発光ダイオード
４６  発光ダイオード
ＡＣ  交流電源
Ｃ１、Ｃ３  コンデンサ（バイパス素子）
Ｄ１、Ｄ８  ダイオード
Ｄ２〜Ｄ４  （電源用）ダイオード
ＤＢ  ダイオードブリッジ
Ｌ  負荷
Ｒ２  保護用抵抗
Ｒ３  抵抗（バイパス素子）
【図１】
2006012632.tif 000003
【図２】
2006012632.tif 000004
【図３】
2006012632.tif 000005
【図４】
2006012632.tif 000006
【図５】
2006012632.tif 000007
【図６】
2006012632.tif 000008
【図７】
2006012632.tif 000009
【図８】
2006012632.tif 000010
【図９】
2006012632.tif 000011
【図１０】
2006012632.tif 000012
【図１１】
2006012632.tif 000013
【図１２】
2006012632.tif 000014
【図１３】
2006012632.tif 000015
【図１４】
2006012632.tif 000016
【図１５】
2006012632.tif 000017
【図１６】
2006012632.tif 000018